(57)【要約】【課題】  複数の面を組み合わせたデジタルサイネージを実現する。【解決手段】  画像投影システムであって、複数の面が含まれる所定領域を分割し、複数の分割領域を生成する領域分割手段と、前記複数の分割領域のうちの１の分割領域に含まれる複数の面の位置及び大きさに基づいて、該１の分割領域に対応する１の画像を複数の分割画像に分割する画像分割手段と、前記１の分割領域に含まれる複数の面それぞれに対応する投影装置を介して、前記複数の分割画像を、前記１の分割領域に含まれる複数の面に対応する投影面それぞれに投影するよう制御する制御手段とを有する。【選択図】図３
2018097080.tif 000002
【特許請求の範囲】
【請求項１】
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するよう制御する制御手段と
を有することを特徴とする画像投影システム。
【請求項２】
前記領域分割手段は、
前記所定領域における前記分割領域の位置及び前記所定領域に対する前記分割領域の大きさを指定する指定画面を表示し、該指定画面において指定された位置及び大きさに基づいて、前記複数の分割領域を生成することを特徴とする請求項１に記載の画像投影システム。
【請求項３】
前記領域分割手段は、
前記所定領域に含まれる複数の面のうち、生成した前記複数の分割領域のいずれにも属していない面があると判定した場合、判定結果を出力することを特徴とする請求項２に記載の画像投影システム。
【請求項４】
前記領域分割手段は、
前記指定画面において指定された位置及び大きさが、所定の条件を満たさないと判定した場合、判定結果を出力することを特徴とする請求項２に記載の画像投影システム。
【請求項５】
前記領域分割手段は、
前記所定領域における前記分割領域の位置及び前記所定領域に対する前記分割領域の大きさを指定するための矩形枠として、前記画像のアスペクト比に応じた矩形枠を、前記指定画面に表示することを特徴とする請求項３に記載の画像投影システム。
【請求項６】
所定の時間帯に対応付けて、前記１の分割領域に対応する前記１の画像を割り当てることで、前記複数の分割画像を投影するスケジュールを生成する生成手段を更に有し、
前記生成手段は、前記１の分割領域に割り当てた前記１の画像のアスペクト比が、前記１の分割領域のアスペクト比に一致しないと判定した場合、判定結果を出力することを特徴とする請求項１乃至４のいずれか１項に記載の画像投影システム。
【請求項７】
前記生成手段は、
前記１の分割領域に割り当てられた前記１の画像の再生時間と、前記複数の分割領域のうちの前記１の分割領域とは異なる他の分割領域に割り当てられた他の画像の再生時間との時間差を算出し、表示することを特徴とする請求項６に記載の画像投影システム。
【請求項８】
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するよう制御する制御手段と
を有することを特徴とする情報処理装置。
【請求項９】
複数の面が含まれる所定領域を分割し、複数の分割領域を生成する領域分割工程と、
前記複数の分割領域のうちの１の分割領域に含まれる複数の面の位置及び大きさに基づいて、該１の分割領域に対応する１の画像を複数の分割画像に分割する画像分割工程と、
前記１の分割領域に含まれる複数の面それぞれに対応する投影装置を介して、前記複数の分割画像を、前記１の分割領域に含まれる複数の面に対応する投影面それぞれに投影するよう制御する制御工程と
を有することを特徴とする画像投影方法。
【請求項１０】
複数の面が含まれる所定領域を分割し、複数の分割領域を生成する領域分割工程と、
前記複数の分割領域のうちの１の分割領域に含まれる複数の面の位置及び大きさに基づいて、該１の分割領域に対応する１の画像を複数の分割画像に分割する画像分割工程と、
前記１の分割領域に含まれる複数の面それぞれに対応する投影装置を介して、前記複数の分割画像を、前記１の分割領域に含まれる複数の面に対応する投影面それぞれに投影するよう制御する制御工程と
をコンピュータに実行させるためのプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージを実現するためには、投影対象として一定程度の大きさの平坦面が必要となる。このため、画像投影装置を用いたデジタルサイネージの場合、予め大画面を設置しておくか、建物の側壁面等のような一体的な平面を利用する必要があり、実現可能な場所に限りがあるといった問題がある。
【０００４】
これに対して、例えば、建物（特に中高層ビル）の窓ガラス（光透過面）のような複数の面を組み合わせて利用することで、大規模なデジタルサイネージを実現することが考えられる。このようなデジタルサイネージを実現できれば、デジタルサイネージの適用範囲を大きく広げることができる。
【０００５】
加えて、このようなデジタルサイネージを１つの建物において複数並行して実現できれば、より多くの広告主を取り込むことが期待できる。
【０００６】
本発明は、上記課題に鑑みてなされたものであり、複数の面を組み合わせたデジタルサイネージを実現することを目的とする。
【課題を解決するための手段】
【０００７】
本発明の各実施形態に係る画像投影システムは、以下のような構成を有する。即ち、
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するよう制御する制御手段とを有する。
【発明の効果】
【０００８】
本発明の各実施形態によれば、複数の面を組み合わせたデジタルサイネージを実現することができる。
【図面の簡単な説明】
【０００９】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】動画像情報及び投影用動画像情報の一例を示す図である。
【図７】スケジュール情報の一例を示す図である。
【図８】サイネージ処理の流れを示すフローチャートである。
【図９】情報処理装置の割り当て部の機能構成を示す図である。
【図１０】割り当て処理の際に領域分割部が表示する分割領域指定画面の一例を示す図である。
【図１１】他の領域分割方法を示した図である。
【図１２】割り当て処理の際にスケジュール生成部が表示するスケジュール指定画面の一例を示す図である。
【図１３】割り当て例を示す図である。
【図１４】割り当て部による割り当て処理の流れを示すフローチャートである。
【図１５】情報処理装置の画像処理部の機能構成を示す図である。
【図１６】画像処理の具体例を示す図である。
【図１７】画像処理の流れを示すフローチャートである。
【図１８】第１画像分割処理の流れを示すフローチャートである。
【図１９】第１画像分割処理の一例を示す図である。
【図２０】割り当て処理の際に領域分割部が表示する分割領域指定画面の他の一例を示す図である。
【図２１】スケジュール指定画面における他の入力例を示す図である。
【図２２】スケジュール指定画面における他の入力例を示す図である。
【図２３】スケジュール指定画面における他の入力例を示す図である。
【図２４】他の領域分割方法を示す図である。
【発明を実施するための形態】
【００１０】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（光透過面）を組み合わせて利用することで、大規模なデジタルサイネージを複数並行して実現した様子を示している。
【００１２】
図１に示すように、建物１１０の道路側の外面の所定領域には、複数の窓ガラス（窓ガラス群１２０）が所定量の間隔をあけて取り付けられている（図１の例では、３０枚の窓ガラス）。第１の実施形態に係る画像投影システムでは、建物１１０の外面の所定領域に取り付けられた複数の窓ガラス（窓ガラス群１２０）のうち、上層階に配された窓ガラスそれぞれに対して、内側から投影用動画像群１３０に含まれる各投影用動画像を投影する。また、第１の実施形態に係る画像投影システムでは、建物１１０の外面の所定領域に取り付けられた複数の窓ガラス（窓ガラス群１２０）のうち、下層階に配された窓ガラスそれぞれに対して、内側から投影用動画像群１３１に含まれる各投影用動画像を投影する。
【００１３】
これにより、第１の実施形態に係る画像投影システムによれば、窓ガラス１５枚分の領域からなる、２種類の大規模なデジタルサイネージ（図１の例は、巨大なツリーと巨大な鳥がそれぞれ表示されたシーンを示している）を実現することができる。また、第１の実施形態に係る画像投影システムによれば、当該２種類のデジタルサイネージを、道路側の外面等の比較的目立つ場所において実現することができる。つまり、広告効果の高いデジタルサイネージを複数並行して実現することができる。
【００１４】
また、第１の実施形態に係る画像投影システムによれば、従来のように、予め設置されている大画面や、窓ガラスのない建物の側壁面等を利用するデジタルサイネージと比較して、デジタルサイネージの適用範囲を大きく広げることができる。
【００１５】
更に、第１の実施形態に係る画像投影システムでは、窓ガラスに既に設置されている電飾装置群１４０の動作もあわせて制御する。これにより、第１の実施形態に係る画像投影システムによれば、投影用動画像群１３０、１３１の投影に応じて電飾装置群１４０を制御することが可能となり、より視覚効果の高いデジタルサイネージを実現することができる。
【００１６】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００１７】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００１８】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像の投影が行われる。これにより、窓ガラスのサイズが大きい場合でも適切な投影用動画像を投影することができる。
【００１９】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００２０】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ投影範囲の一部が重複するように調整されている。つまり、本実施形態では、２台のプロジェクタにより、窓ガラスの大きさに応じた投影範囲への投影用動画像の投影を実現している。
【００２１】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスそれぞれに対応する各電動スクリーンに２種類の投影用動画像が投影されることで、全体として、２種類のデジタルサイネージを並行して実現する。このため、各窓ガラスに対応する各電動スクリーンに対しては、２種類の動画像のうちの一方の動画像（一方の広告主が提供する動画像）の一部の領域を分割して生成した投影用動画像が更に上下に分割されて、２台のプロジェクタにより投影されることになる。
【００２２】
なお、図２（Ｂ）に示すように、第１の実施形態に係る画像投影システムでは、投影用動画像群１３０、１３１の投影が終了した状態で、電飾装置群１４０がＯＮ状態になり、かつ電動スクリーンがＯＦＦ状態になるよう制御する。
【００２３】
つまり、第１の実施形態に係る画像投影システムでは、上側プロジェクタ、下側プロジェクタ、電動スクリーン及び電飾装置群１４０が互いに連動して動作する。
【００２４】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、時刻サーバ３６０、情報処理装置３７０、撮像装置３８１、色彩輝度計３８２を有する。
【００２５】
なお、プロジェクタ３１０＿１ａ〜３１０＿３０ｂ、制御装置３４０及び時刻サーバ３６０と、情報処理装置３７０とは、ネットワーク３９０を介して接続されている。
【００２６】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００２７】
プロジェクタ３１０＿１ａ〜３１０＿３０ｂは、それぞれ、投影対象となる窓ガラスの大きさに応じた投影範囲に、投影用動画像が歪みなく投影されるよう、校正パターン画像を用いて第１の校正処理を実行する。また、プロジェクタ３１０＿１ａ〜３１０＿３０ｂは、それぞれ、投影対象となる窓ガラスに対して、所定の色味で投影用動画像が投影されるよう、白画像を用いて第２の校正処理を実行する。
【００２８】
また、プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を投影対象となる窓ガラスに対応する電動スクリーンに投影する。
【００２９】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００３０】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００３１】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０は、制御装置３４０によりＯＮ状態に制御されると、光透過面は光透過度が下がり、半透明の状態になる。一方、電動スクリーン３３０＿１〜３３０＿３０は、制御装置３４０によりＯＦＦ状態に制御されると、光透過面は光透過度が上がり、透明の状態になる。
【００３２】
制御装置３４０は、情報処理装置３７０からのスクリーンＯＮ指示に基づいて、電動スクリーン３３０＿１〜３３０＿３０をＯＮ状態にする。また、制御装置３４０は、情報処理装置３７０からのスクリーンＯＦＦ指示に基づいて、電動スクリーン３３０＿１〜３３０＿３０をＯＦＦ状態にする。
【００３３】
更に、制御装置３４０は、情報処理装置３７０からの電飾ＯＮ指示に基づいて、電飾装置１４０＿１〜１４０＿６をＯＮ状態にする。また、制御装置３４０は、情報処理装置３７０からの電飾ＯＦＦ指示に基づいて、電飾装置１４０＿１〜１４０＿６をＯＦＦ状態にする。
【００３４】
電飾装置１４０＿１〜１４０＿６は、電源ケーブルを介して制御装置３４０と接続され、制御装置３４０により、ＯＮ状態とＯＦＦ状態とが制御される。
【００３５】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００３６】
情報処理装置３７０は、画像投影システム３００におけるサイネージ処理を制御するための装置である。情報処理装置３７０には、校正プログラム、割り当てプログラム、画像処理プログラム、サイネージ制御プログラムがインストールされている。情報処理装置３７０は、これらのプログラムを実行することで、校正部３７１、割り当て部３７２、画像処理部３７３、サイネージ制御部３７４として機能する。
【００３７】
校正部３７１は、プロジェクタ３１０＿１ａ〜３１０＿３０ｂとともに、第１の校正処理及び第２の校正処理を実行する。また、校正部３７１は、第１の校正処理を実行することで、プロジェクタ３１０＿１ａ〜３１０＿３０ｂによりそれぞれ投影される投影用動画像を生成する際に用いる補正パラメータを算出する。
【００３８】
更に、校正部３７１は、プロジェクタ３１０＿１ａ〜３１０＿３０ｂとともに、第２の校正処理を実行することで、プロジェクタ３１０＿１ａ〜３１０＿３０ｂに設定するＲＧＢレベルを算出する。
【００３９】
割り当て部３７２は、窓ガラス群１２０が含まれる所定領域を分割することで、複数の分割領域を生成する。また、割り当て部３７２は、複数の分割領域それぞれに、広告主から提供された元の動画像を割り当てるとともに、投影時間帯を設定することでスケジュール情報を生成し、スケジュール情報管理部３７７に格納する。
【００４０】
画像処理部３７３は、画像分割手段の一例である。画像処理部３７３は、サイネージ対象情報管理部３７５に格納されたサイネージ対象情報と、画像情報管理部３７６に格納された動画像情報及び投影用動画像情報とを用いることで、広告主から提供された元の動画像から投影用動画像群を生成する。サイネージ対象とは、画像投影システム３００により大規模なデジタルサイネージが実現される建物１１０を指す。サイネージ対象情報には、建物１１０の外面の所定領域に含まれる窓ガラス群１２０の各窓ガラスの位置、大きさ等の情報が含まれる。また、動画像情報には、広告主から提供された元の動画像の属性情報等が含まれる。更に、投影用動画像情報には、投影用動画像群を生成するための情報や、生成された投影用動画像群を管理するための情報が含まれる。なお、投影用動画像群を生成するための情報には、複数の分割領域に関する情報や、複数の分割領域それぞれに対して動画像を割り当てた際の割り当て結果、校正部３７１が第１の校正処理を実行することで算出した補正パラメータ等が含まれる。また、生成された投影用動画像群を管理するための情報には、生成された投影用動画像群に含まれる各投影用動画像と、各投影用動画像を投影するプロジェクタとの対応関係を示す情報が含まれる。
【００４１】
また、画像処理部３７３は、生成した投影用動画像群に含まれる各投影用動画像を、プロジェクタ３１０＿１ａ〜３１０＿３０ｂそれぞれに送信する。これにより、プロジェクタ３１０＿１ａ〜３１０＿３０ｂは、外部メモリ３２０＿１ａ〜３２０＿３０ｂそれぞれに各投影用動画像を格納する。
【００４２】
サイネージ制御部３７４は、制御手段の一例である。サイネージ制御部３７４は、スケジュール情報管理部３７７に格納されたスケジュール情報に基づいて、サイネージ制御処理を行う。具体的には、サイネージ制御部３７４は、投影開始時刻に応じて、プロジェクタ３１０＿１ａ〜３１０＿３０ｂそれぞれに、投影開始指示を送信する。また、サイネージ制御部３７４は、投影開始時刻に応じて、電動スクリーン３３０＿１〜３３０＿３０にスクリーンＯＮ指示を送信する。更に、サイネージ制御部３７４は、投影開始時刻に応じて、電飾装置１４０＿１〜１４０＿６に電飾ＯＦＦ指示を送信する。
【００４３】
同様に、サイネージ制御部３７４は、投影終了時刻に応じて、プロジェクタ３１０＿１ａ〜３１０＿３０ｂそれぞれに、投影終了指示を送信する。また、サイネージ制御部３７４は、投影終了時刻に応じて、電動スクリーン３３０＿１〜３３０＿３０にスクリーンＯＦＦ指示を送信する。更に、サイネージ制御部３７４は、投影終了時刻に応じて、電飾装置１４０＿１〜１４０＿６に電飾ＯＮ指示を送信する。
【００４４】
撮像装置３８１は、プロジェクタ３１０＿１ａ〜３１０＿３０ｂそれぞれが第１の校正処理を実行する際に、プロジェクタ３１０＿１ａ〜３１０＿３０ｂそれぞれが投影した校正パターン画像を撮影し、情報処理装置３７０に送信する。なお、撮像装置３８１と、情報処理装置３７０とは、例えば、ＵＳＢケーブルを介して接続される。
【００４５】
色彩輝度計３８２は、プロジェクタ３１０＿１ａ〜３１０＿３０ｂそれぞれが第２の校正処理を実行する際に、プロジェクタ３１０＿１ａ〜３１０＿３０ｂそれぞれが投影した白画像について、色温度を測定し、測定結果を情報処理装置３７０に送信する。なお、色彩輝度計３８２と、情報処理装置３７０とは、例えば、ＵＳＢケーブルを介して接続される。
【００４６】
＜４．情報処理装置のハードウェア構成＞
次に、情報処理装置３７０のハードウェア構成について説明する。図４は、情報処理装置のハードウェア構成の一例を示す図である。
【００４７】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７、ＵＳＢＩ／Ｆ部４０８を備える。なお、情報処理装置３７０の各ハードウェアは、バス４０９を介して相互に接続されている。
【００４８】
ＣＰＵ４０１は、補助記憶部４０４に格納された各種プログラム（例えば、校正プログラム、割り当てプログラム、画像処理プログラム、サイネージ制御プログラム等）を実行するデバイスである。
【００４９】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００５０】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００５１】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、動画像情報、投影用動画像情報、スケジュール情報等が含まれる。なお、サイネージ対象情報管理部３７５、画像情報管理部３７６、スケジュール情報管理部３７７は、補助記憶部４０４により実現される。
【００５２】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間で、ネットワークＩ／Ｆ部４０７を介して通信を行う。
【００５３】
ＵＳＢＩ／Ｆ部４０８は、ＵＳＢケーブルを接続するためのインタフェースデバイスである。情報処理装置３７０は、撮像装置３８１、色彩輝度計３８２との間で、ＵＳＢＩ／Ｆ部４０８を介してデータの送受信を行う。
【００５４】
＜５．各管理部に格納される情報＞
次に、情報処理装置３７０の各管理部（サイネージ対象情報管理部３７５、画像情報管理部３７６、スケジュール情報管理部３７７）に格納される各種情報（サイネージ対象情報、動画像情報、投影用動画像情報、スケジュール情報）について説明する。
【００５５】
（１）サイネージ対象情報
はじめに、サイネージ対象情報管理部３７５に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００５６】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００５７】
"フロア"には、建物１１０の外面の所定領域に含まれる窓ガラス群１２０が取り付けられているフロアのフロア番号が格納される。
【００５８】
"窓ＩＤ"には、建物１１０の外面の所定領域に含まれる窓ガラス群１２０の各窓ガラスを識別するための識別子が格納される。
【００５９】
"窓情報"には、"位置"、"横サイズ"、"縦サイズ"が含まれる。ここで、図５（ｂ）を参照しながら、"窓情報"に含まれる窓ガラスの"位置"、"横サイズ"、"縦サイズ"について説明する。
【００６０】
図５（ｂ）に示すように、画像投影システム３００では、建物１１０の外面の所定領域５１０を利用して、大規模なデジタルサイネージを実現する。このとき、画像投影システム３００では、所定領域５１０に含まれる各窓ガラスのレイアウトを特定するための基準となる点（原点）と、基準となる軸（ｘ軸、ｙ軸）とを規定する。
【００６１】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００６２】
所定領域５１０、原点５２０、ｘ軸５３０、ｙ軸５４０を、図５（ｂ）に示すように規定することで、各窓ガラスのレイアウト（位置、横サイズ、縦サイズ）を一意に特定することができる。
【００６３】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６４】
"横サイズ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横サイズ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横サイズ＝"ｘ２２−ｘ２１"となる。
【００６５】
"縦サイズ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦サイズ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦サイズ＝"ｙ２２−ｙ２１"となる。
【００６６】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置に、プロジェクタＩＤ＝"ＰＪ２０１Ａ"、"ＰＪ２０１Ｂ"により識別されるプロジェクタが配置されていることを示している。
【００６７】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置に、電動スクリーンＩＤ＝"ＳＣ２０１"により識別される電動スクリーンが配置されていることを示している。
【００６８】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアに、電飾装置ＩＤ＝"Ｅ２００"により識別される電飾装置が配置されていることを示している。
【００６９】
（２）動画像情報及び投影用動画像情報
次に、画像情報管理部３７６に格納される動画像情報及び投影用動画像情報について説明する。図６は、動画像情報及び投影用動画像情報の一例を示す図である。図６に示すように、画像情報管理部３７６には、動画像情報６１０、投影用動画像情報６２０が格納されている。
【００７０】
動画像情報６１０は、広告主から提供される動画像の属性情報等を格納する。図６（ａ）に示すように、動画像情報６１０には、情報の項目として、"広告主"、"動画像ＩＤ"、"アスペクト比"、"再生時間"が含まれる。
【００７１】
"広告主"には、デジタルサイネージの利用を希望する広告主の名前が格納される。"動画像ＩＤ"には、広告主から提供される元の動画像を識別するための識別子が格納される。
【００７２】
"アスペクト比"には、広告主から提供される元の動画像のアスペクト比が格納される。"再生時間"には、広告主から提供される元の動画像の再生時間が格納される。
【００７３】
一方、投影用動画像情報６２０は、投影用動画像群を生成するための情報や、生成された投影用動画像群を管理するための情報を格納する。
【００７４】
投影用動画像情報６２０には、情報の項目として、"分割領域"、"動画像ＩＤ"、"窓ＩＤ"、"プロジェクタＩＤ"が含まれる。また、投影用動画像情報６２０には、情報の項目として、"補正パラメータＩＤ"、"分割静止画像群ＩＤ"、"投影用動画像ＩＤ"が含まれる。
【００７５】
"分割領域"には、所定領域５１０を分割することで生成される各分割領域の名称が格納される。図６（ｂ）の例は、所定領域５１０が分割され、分割領域１と分割領域２とが生成されたことを示している。なお、"分割領域"に格納される分割領域の名称は、"窓ＩＤ"と対応付けて格納される。つまり、投影用動画像情報６２０によれば、生成される各分割領域に含まれる各窓ガラスを特定することができる。
【００７６】
"動画像ＩＤ"には、広告主から提供される元の動画像を識別するための識別子（動画像ＩＤ）が格納される。図６の例は、動画像情報６１０に含まれる動画像ＩＤのうち、コンテンツ１００とコンテンツ２００とが格納されたことを示している。なお、"動画像ＩＤ"に格納される動画像ＩＤは、"分割領域"と対応付けて格納される。つまり、投影用動画像情報６２０によれば、動画像ＩＤ＝コンテンツ１００が分割領域１に割り当てられ、動画像ＩＤ＝コンテンツ２００が、分割領域２に割り当てられたことを識別することができる。
【００７７】
投影用動画像情報６２０において、符号６２１で示す情報は、割り当て部３７２が後述する割り当て処理を実行することで格納される。
【００７８】
"窓ＩＤ"には、建物１１０の外面の所定領域５１０に含まれる窓ガラス群１２０の各窓ガラスを識別するための識別子が格納される。
【００７９】
"プロジェクタＩＤ"には、窓ＩＤにより識別される窓ガラスに対応する位置に配置されたプロジェクタを識別するための識別子が格納される。
【００８０】
"補正パラメータＩＤ"には、校正部３７１により算出された補正パラメータを識別するための識別子が格納される。上述したとおり、第１の校正処理が実行されることで、校正部３７１は、窓ガラスごとに補正パラメータを算出し、窓ＩＤと対応付けて補正パラメータＩＤを、投影用動画像情報６２０に格納する。
【００８１】
つまり、投影用動画像情報６２０において、符号６２２で示す情報は、校正部３７１が第１の校正処理を実行することで格納される。
【００８２】
"分割静止画像群ＩＤ"には、動画像ＩＤ＝コンテンツ１００、コンテンツ２００によりそれぞれ識別される動画像から、投影用動画像群を生成する過程で生成された、分割静止画像群を識別するための識別子が格納される。
【００８３】
"投影用動画像ＩＤ"には、動画像ＩＤ＝コンテンツ１００、コンテンツ２００によりそれぞれ識別される動画像から生成された、投影用動画像群に含まれる各投影用動画像を識別するための識別子が格納される。
【００８４】
つまり、投影用動画像情報６２０において、符号６２３で示す情報は、画像処理部３７３が後述する画像処理を実行することで格納される。
【００８５】
図６の例は、動画像ＩＤ＝コンテンツ２００の動画像から、投影用動画像ＩＤ＝"Ｍ２０１Ａ"、"Ｍ２０１Ｂ"、・・・"Ｍ４０５Ｂ"が生成されたことを示している。また、動画像ＩＤ＝コンテンツ１００の動画像から、投影用動画像ＩＤ＝"Ｍ５０１Ａ"、"Ｍ５０１Ｂ"、・・・"Ｍ７０５Ｂ"が生成されたことを示している。
【００８６】
また、図６の例は、投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影されることを示している。
【００８７】
また、図６の例は、投影用動画像ＩＤ＝"Ｍ２０１Ａ"の投影用動画像の生成に際しては、補正パラメータ（補正パラメータＩＤ＝"Ｐ２０１"）が算出されたことを示している。
【００８８】
また、図６の例は、補正された分割静止画像群ＩＤ＝"Ｃ２０１"の分割静止画像群が、当該補正パラメータ（補正パラメータＩＤ＝"Ｐ２０１"）により補正されたことを示している。更に、図６の例は、分割静止画像群ＩＤ＝"Ｃ２０１"の分割静止画像群に基づいて、投影用動画像ＩＤ＝"Ｍ２０１Ａ"及び"Ｍ２０１Ｂ"の投影用動画像がそれぞれ生成されたことを示している。
【００８９】
（３）スケジュール情報
次に、スケジュール情報管理部３７７に格納されるスケジュール情報について説明する。図７は、スケジュール情報の一例を示す図である。図７に示すように、スケジュール情報７００には、情報の項目として、"時刻"、"サイネージ装置"が含まれる。
【００９０】
"時刻"には、建物１１０において、窓ガラス群１２０をデジタルサイネージとして利用できる時間帯が記載される。図７の例は、１０時００分から２２時００分までの間の時間帯において、窓ガラス群１２０をデジタルサイネージとして利用することが可能であることを示している。
【００９１】
"サイネージ装置"には、更に、"プロジェクタ"、"電動スクリーン"、"電飾装置"が含まれる。"プロジェクタ"には、プロジェクタ３１０＿ａ〜３１０＿３０ｂによる投影用動画像の投影時間帯が分割領域ごとに記載される。図７の例は、１８時００分から１９時００分の間に、分割領域１において、動画像ＩＤ＝コンテンツ１００により識別される動画像に基づいて生成された投影用動画像群が投影されることを示している。また、同一時間帯（１８時００分から１９時００分の間）に、分割領域２において、動画像ＩＤ＝コンテンツ２００により識別される動画像に基づいて生成された投影用動画像群が投影されることを示している。
【００９２】
"電動スクリーン"には、電動スクリーン３３０＿１〜３３０＿３０をＯＮ状態にする時間帯が記載される。電動スクリーン３３０＿１〜３３０＿３０をＯＮ状態にする時間帯は、プロジェクタ３１０＿１ａ〜３１０＿３０ｂが投影用動画像群を投影する投影時間帯と同じ時間帯である。したがって、１８時００分から１９時００分の間、電動スクリーン３３０＿１〜３３０＿３０はＯＮ状態になる。
【００９３】
"電飾装置"には、電飾装置１４０＿１〜１４０＿６をＯＮ状態にする時間帯が記載される。本実施形態において、電飾装置１４０＿１〜１４０＿６は、１７時００分以降の時間帯であって、プロジェクタ３１０＿１ａ〜３１０＿３０ｂによる投影用動画像の投影時間帯以外の時間帯においてＯＮ状態にする。したがって、１７時００分から１８時００分の間、１９時００分から２２時００分の間、電飾装置１４０＿１〜１４０＿６はＯＮ状態になる。
【００９４】
＜６．画像投影システムにおけるサイネージ処理の流れ＞
次に、画像投影システム３００におけるサイネージ処理の流れについて説明する。図８は、サイネージ処理の流れを示すフローチャートである。建物１１０において、画像投影システム３００の設置が完了することで、画像投影システム３００では、図８に示すサイネージ処理を実行する。
【００９５】
具体的には、ステップＳ８０１において、画像投影システム３００は、プロジェクタ３１０＿１ａ〜３１０＿３０ｂの校正処理（第１の校正処理及び第２の校正処理等）を行う。
【００９６】
ステップＳ８０２において、画像投影システム３００は、複数の分割領域を生成するとともに、投影時間帯を設定して動画像ＩＤを各分割領域に割り当てる割り当て処理を行う。
【００９７】
ステップＳ８０３において、画像投影システム３００は、割り当て処理による割り当て結果に応じて画像処理を行う。画像処理には、投影用動画像（"Ｍ２０１Ａ"〜"Ｍ７０５Ｂ"）の生成及び各プロジェクタ３１０＿１ａ〜３１０＿３０ｂへの投影用動画像の送信等が含まれる。
【００９８】
ステップＳ８０４において、画像投影システム３００は、サイネージ制御処理を行う。具体的には、画像投影システム３００は、プロジェクタ３１０＿１ａ〜３１０＿３０ｂによる各投影用動画像の投影制御、電動スクリーン３３０＿１〜３３０＿３０によるＯＮ／ＯＦＦ制御、電飾装置１４０＿１〜１４０＿６によるＯＮ／ＯＦＦ制御を行う。
【００９９】
以下、図８に示すサイネージ処理に含まれる各処理の詳細について説明する。ただし、説明の簡略化のため、以下では、サイネージ処理に含まれる各処理のうち、割り当て処理（ステップＳ８０２）と画像処理（ステップＳ８０３）の詳細について説明する。
【０１００】
＜７．割り当て処理の詳細＞
画像投影システム３００における割り当て処理（ステップＳ８０２）の詳細について説明する。
【０１０１】
（１）割り当て部の機能構成
はじめに、割り当て処理（ステップＳ８０２）を実行する、情報処理装置３７０の割り当て部３７２の機能構成について説明する。図９は、情報処理装置の割り当て部の機能構成を示す図である。
【０１０２】
図９に示すように割り当て部３７２は、領域分割部９０１及びスケジュール生成部９０２を有する。領域分割部９０１は、領域分割手段の一例である。領域分割部９０１は、所定領域５１０を分割し、分割領域（例えば、分割領域１、分割領域２）を生成する。また、領域分割部９０１は、所定領域５１０を分割することで生成した複数の分割領域を、それぞれの分割領域に含まれる窓ガラスを示す窓ＩＤ等と対応付けて、画像情報管理部３７６の投影用動画像情報６２０に格納する。
【０１０３】
スケジュール生成部９０２は、生成手段の一例である。スケジュール生成部９０２は、複数の分割領域それぞれにおいて投影する投影用動画像群を生成するのに用いられる動画像の動画像ＩＤ（コンテンツ１００、コンテンツ２００）を各分割領域に割り当てる。また、スケジュール生成部９０２は、割り当てた動画像ＩＤの動画像から生成した投影用動画像群（例えば、投影用動画像群１３０、１３１）を投影する投影時間帯を設定することで、スケジュール情報７００を生成し、スケジュール情報管理部３７７に格納する。
【０１０４】
（２）領域分割部による処理の詳細
次に、領域分割部９０１による処理の詳細について説明する。図１０は、割り当て処理の際に領域分割部が表示する分割領域指定画面の一例を示す図である。領域分割部９０１が起動すると、情報処理装置３７０の表示部４０５には、分割領域指定画面１０００が表示される。
【０１０５】
図１０に示すように、分割領域指定画面１０００には、建物１１０の所定領域５１０に含まれる窓ガラス群１２０のレイアウトを示すレイアウト画像１０１０が含まれる。
【０１０６】
管理者は、矩形枠１０２１、１０２２を用いて、レイアウト画像１０１０を分割することで、複数の分割領域を生成する。図１０の例は、２つの矩形枠１０２１、１０２２を用いて、レイアウト画像１０１０を上下に等分し、分割領域１（矩形枠１０２１により特定される領域）と分割領域２（矩形枠１０２２により特定される領域）とを生成した様子を示している。
【０１０７】
図１０に示す状態で、"完了"ボタン１０３０が押圧されると、領域分割部９０１は、分割領域１及び分割領域２を、投影用動画像情報６２０に格納する。領域分割部９０１は、矩形枠１０２１に含まれる複数の窓ガラスの窓ＩＤを特定し、特定した窓ＩＤに対応付けて分割領域１を、投影用動画像情報６２０に格納する。同様に、領域分割部９０１は、矩形枠１０２２に含まれる複数の窓ガラスの窓ＩＤを特定し、特定した窓ＩＤに対応付けて分割領域２を、投影用動画像情報６２０に格納する。
【０１０８】
なお、レイアウト画像１０１０の分割方法はこれに限定されず、他の領域分割方法により分割してもよい。
【０１０９】
図１１は、他の領域分割方法を示した図である。このうち、図１１（ａ）は、分割領域指定画面１０００において、レイアウト画像１０１０を、上下に不等分し、分割領域３（矩形枠１１２１により特定される領域）と分割領域４（矩形枠１１２２により特定される領域）とを生成した様子を示している。このように、領域分割部９０１では、サイズの異なる分割領域を生成することができる。
【０１１０】
図１１（ｂ）は、分割領域指定画面１０００において、レイアウト画像１０１０を分割し、４つの分割領域５〜８（矩形枠１１３１〜１１３４によりそれぞれ特定される領域）を生成した様子を示している。このように、領域分割部９０１が生成可能な分割領域の数は、２つに限定されず、３つ以上の分割領域を生成することができる。
【０１１１】
図１１（ｃ）は、分割領域指定画面１０００において、レイアウト画像１０１０を分割し、３つの分割領域（矩形枠１１４１〜１１４３によりそれぞれ特定される領域）を生成しようとした様子を示している。ここで、本実施形態では、所定領域５１０に含まれる複数の窓ガラス群１２０が、いずれかの分割領域に属するように分割領域を生成することが分割条件として定義されている。このため、いずれの分割領域にも属さない窓ガラス１１５０が存在する状態で、"完了"ボタン１０３０が押圧されると、領域分割部９０１は、メッセージ１１６０を判定結果として出力し、管理者に再度、矩形枠の指定を行うよう促す。
【０１１２】
図１１（ｄ）は、分割領域指定画面１０００において、レイアウト画像１０１０を分割し、４つの分割領域（矩形枠１１６１〜１１６４によりそれぞれ特定される領域）を生成しようとした様子を示している。ここで、本実施形態では、所定領域５１０を分割し、複数の分割領域を生成するにあたり、それぞれの分割領域のサイズ及び位置の制限が分割条件として定義されている。このため、いずれかの分割領域が、当該分割条件を満たさない状態で、"完了"ボタン１０３０が押圧されると、領域分割部９０１は、メッセージ１１７０を判定結果として出力し、管理者に再度、矩形枠の指定を行うよう促す。サイズの制限とは、例えば、分割領域のサイズが小さすぎたり、大きすぎたりして、視聴者が視聴しづらくなることがないようにするための制限である。同様に、位置の制限とは、例えば、所定領域の端部付近に、小さいサイズの分割領域が生成されることで、視聴者が視聴しづらくなることがないようにするための制限である。
【０１１３】
図１１（ｄ）は、矩形枠１１６１により特定される領域のサイズが小さく、分割条件を満たさないと判定したことで、メッセージ１１７０が出力されたことを示している。
【０１１４】
なお、分割領域のサイズ及び位置の制限は、例えば、生成しようとしている分割領域の窓ガラスの数や、分割領域の面積の上限値または下限値として定義されるものとする。また、このとき定義される上限値または下限値は、管理者が手動で設定しても、領域分割部９０１が自動で設定してもよい。
【０１１５】
自動で設定する設定方法としては、例えば、プロジェクタ３１０＿１ａ〜３１０＿３０ｂがそれぞれ有する解像度を管理者が手動で入力し、領域分割部９０１が、上限値または下限値を自動算出して、設定する方法が挙げられる。あるいは、デジタルサイネージを視聴する人の位置として想定される位置を管理者が手動で入力することで、領域分割部９０１が、上限値または下限値を自動算出して設定する方法が挙げられる。
【０１１６】
（３）スケジュール生成部の詳細
次に、スケジュール生成部９０２による処理の詳細について説明する。図１２は、割り当て処理の際にスケジュール生成部が表示するスケジュール指定画面の一例を示す図である。領域分割部９０１による、投影用動画像情報６２０への各分割領域の格納が完了すると、スケジュール生成部９０２が起動し、情報処理装置３７０の表示部４０５には、スケジュール指定画面１２００が表示される。
【０１１７】
図１２に示すように、スケジュール指定画面１２００には、登録するスケジュールの名前を入力する名前入力欄１２０１と、投影時間帯を入力する投影時間帯入力欄１２１０とが含まれる。
【０１１８】
投影時間帯入力欄１２１０には、更に、投影用動画像群の投影を開始する開始時刻及び投影用動画像群の投影を終了する終了時刻を入力する時刻入力欄１２１１と、投影用動画像群の投影を行う曜日を入力する曜日入力欄１２１２とが含まれる。
【０１１９】
投影用動画像群の投影は、曜日入力欄１２１２に入力された曜日であって、時刻入力欄１２１１に入力された投影時間帯において行われる。図１２の例は、毎週日曜日の１８：００から１９：００の投影時間帯に、投影用動画像群の投影が行われることを示している。
【０１２０】
また、スケジュール指定画面１２００には、領域割り当て欄１２２０と、コンテンツ表示欄１２３０とが含まれる。
【０１２１】
領域割り当て欄１２２０には、領域分割部９０１により投影用動画像情報６２０に格納された分割領域の名称が表示される。本実施形態において、投影用動画像情報６２０（図６（ｂ））には、分割領域１と分割領域２とが格納されているため、領域割り当て欄１２２０には、分割領域の名称として、分割領域１と分割領域２とが表示される。
【０１２２】
領域割り当て欄１２２０には、分割領域の名称が表示された位置に対応する位置に、コンテンツ割り当て欄１２２１、１２２２が配されている。管理者は、コンテンツ表示欄１２３０に表示された動画像ＩＤのうちのいずれかの動画像ＩＤを選択して、コンテンツ割り当て欄１２２１、１２２２に入力する。これにより、それぞれの分割領域に動画像ＩＤが割り当てられることになる。
【０１２３】
コンテンツ表示欄１２３０には、画像情報管理部３７６の動画像情報６１０（図６（ａ）参照）に格納された動画像ＩＤが表示される。
【０１２４】
スケジュール指定画面１２００には、更に、"登録"ボタン１２４１と、"戻る"ボタン１２４２とが含まれる。
【０１２５】
"登録"ボタン１２４１が押圧されると、スケジュール生成部９０２は、スケジュール指定画面１２００において入力された入力内容を、スケジュール情報管理部３７７に格納する。なお、スケジュール生成部９０２は、入力内容をスケジュール情報管理部３７７に格納するにあたり、投影時間帯入力欄１２１０に入力された投影時間帯と重複するスケジュール情報が既に格納されているか否かを判定する。判定の結果、投影時間帯入力欄１２１０に入力された投影時間帯と重複するスケジュール情報が、スケジュール情報管理部３７７に格納されている場合には、スケジュールが重複している旨のメッセージを判定結果として出力する。
【０１２６】
一方、"戻る"ボタン１２４２が押圧されると、スケジュール生成部９０２による処理が終了し、分割領域指定画面１０００に戻る。
【０１２７】
なお、"登録"ボタン１２４１が押圧された場合、スケジュール生成部９０２は、更に、領域割り当て欄１２２０に表示された分割領域の名称と、管理者により入力された動画像ＩＤとの関係を検証する。そして、スケジュール生成部９０２は、分割領域と動画像ＩＤとの関係が所定の割り当て条件を満たす場合に、分割領域の名称と対応付けて動画像ＩＤを投影用動画像情報６２０に格納する。また、スケジュール生成部９０２は、投影用動画像情報６２０への格納が完了した分割領域の名称と動画像ＩＤとの組み合わせを、画像処理部３７３に通知する。
【０１２８】
ここで、スケジュール生成部９０２では、以下のような割り当て条件について検証を行う。
・分割領域１に対応付けられたコンテンツ割り当て欄１２２１に入力された動画像ＩＤにより特定される動画像のアスペクト比が、分割領域１のアスペクト比に一致するか否かを検証する。
・分割領域２に対応付けられたコンテンツ割り当て欄１２２２に入力された動画像ＩＤにより特定される動画像のアスペクト比が、分割領域２のアスペクト比に一致するか否かを検証する。
・分割領域１及び分割領域２に対応付けられたコンテンツ割り当て欄それぞれ入力された動画像ＩＤにより特定される、各動画像の再生時間の差分が、所定の時間以下か否かを検証する。
・領域割り当て欄１２２０に表示された分割領域のうち、対応するコンテンツ割り当て欄に動画像ＩＤが割り当てられていない状態（空欄の状態）の分割領域がないかを検証する。
【０１２９】
スケジュール生成部９０２は、分割領域１のアスペクト比と、コンテンツ割り当て欄１２２１に入力された動画像ＩＤにより特定される動画像のアスペクト比とを対比することで上記検証を行う。
【０１３０】
また、スケジュール生成部９０２は、画像情報管理部３７６の動画像情報６１０に格納された動画像ＩＤのうち、コンテンツ割り当て欄に入力された動画像ＩＤに対応する再生時間を参照することで上記検証を行う。
【０１３１】
スケジュール生成部９０２による検証の結果、割り当て条件を満たさない場合には、所定のメッセージを判定結果として出力し、異なる動画像ＩＤをコンテンツ割り当て欄１２２１または１２２２へ入力するよう促す。
【０１３２】
図１３は、割り当て例を示す図である。図１３（ａ）は、分割領域１に、動画像ＩＤ＝コンテンツ１００が割り当てられ、分割領域２に、動画像ＩＤ＝コンテンツ２００が割り当てられた様子を示している。
【０１３３】
図１３（ｂ）は、分割領域１に、動画像ＩＤ＝コンテンツ２００が割り当てられ、分割領域２に、動画像ＩＤ＝コンテンツ１００が割り当てられた様子を示している。
【０１３４】
このように、スケジュール生成部９０２は、２種類の動画像ＩＤを、異なる曜日または異なる投影時間帯で、異なる分割領域に割り当てることができる。
【０１３５】
図１３（ｃ）は、分割領域３に、動画像ＩＤ＝コンテンツ１００を割り当て、分割領域４に、動画像ＩＤ＝コンテンツ２００を割り当てようとした様子を示している。図１３（ｃ）の場合、分割領域３のアスペクト比と、動画像ＩＤ＝コンテンツ１００の動画像のアスペクト比とは一致しない。また、分割領域４のアスペクト比と、動画像ＩＤ＝コンテンツ２００のアスペクト比も一致しない。このため、所定のメッセージが判定結果として出力されることになる。つまり、図１３（ｃ）の割り当てがスケジュール情報として登録されることはない。
【０１３６】
図１３（ｄ）は、分割領域５に、動画像ＩＤを割り当てることなく、分割領域６に動画像ＩＤ＝コンテンツ１００を、分割領域７に動画像ＩＤ＝コンテンツ３００を、分割領域８に動画像ＩＤ＝コンテンツ４００をそれぞれ割り当てようとした様子を示している。
【０１３７】
図１３（ｄ）の場合、動画像ＩＤが割り当てられていない分割領域５があるため、所定のメッセージが判定結果として出力されることになる。また、分割領域６に割り当てられた動画像ＩＤの動画像に対応する再生時間と、分割領域７及び分割領域８にそれぞれ割り当てられた動画像ＩＤの動画像に対応する再生時間とで、時間差が大きいため、所定のメッセージが判定結果として出力されることになる。つまり、図１３（ｄ）の割り当てが、スケジュール情報として登録されることはない。
【０１３８】
（４）割り当て部の割り当て処理の流れ
次に、割り当て部３７２による割り当て処理について説明する。図１４は、割り当て部による割り当て処理の流れを示すフローチャートである。
【０１３９】
ステップＳ１４０１において、領域分割部９０１は、分割領域指定画面１０００を表示する。
【０１４０】
ステップＳ１４０２において、領域分割部９０１は、管理者による矩形枠１０２１、１０２２の入力を受け付けることで、分割領域を生成する。また、領域分割部９０１は、分割領域の生成に関して、管理者より完了指示を受け付ける。
【０１４１】
ステップＳ１４０３において、領域分割部９０１は、管理者により指定された分割領域が分割条件を満たすか否かを判定する。ステップＳ１４０３において分割条件を満たさないと判定した場合には（ステップＳ１４０３においてＮｏの場合には）、ステップＳ１４０２に戻り、分割領域の変更を促す。
【０１４２】
一方、ステップＳ１４０３において、分割条件を満たすと判定した場合には（ステップＳ１４０３においてＹｅｓの場合には）、ステップＳ１４０４に進む。
【０１４３】
ステップＳ１４０４において、領域分割部９０１は、矩形枠１０２１、１０２２に基づいて生成した分割領域を、画像情報管理部３７６の投影用動画像情報６２０に格納する。なお、領域分割部９０１は、生成した分割領域に名称を付して、投影用動画像情報６２０に格納する。また、領域分割部９０１は、サイネージ対象情報５００を参照することで、生成した各分割領域に含まれる窓ＩＤを特定し、各分割領域の名称を窓ＩＤと対応付けて、投影用動画像情報６２０に格納する。
【０１４４】
ステップＳ１４０５において、スケジュール生成部９０２は、スケジュール指定画面１２００を表示する。
【０１４５】
ステップＳ１４０６において、スケジュール生成部９０２は、分割領域指定画面１０００へ戻る指示を受け付けたか否かを判定する。ステップＳ１４０６において、分割領域指定画面１０００へ戻る指示を受け付けたと判定した場合（ステップＳ１４０６においてＹｅｓの場合）、スケジュール生成部９０２は、ステップＳ１４０１に戻る。
【０１４６】
一方、ステップＳ１４０６において、分割領域指定画面１０００へ戻る指示を受け付けていないと判定した場合（ステップＳ１４０６においてＮｏの場合）、スケジュール生成部９０２は、ステップＳ１４０７に進む。
【０１４７】
ステップＳ１４０７において、スケジュール生成部９０２は、管理者による投影時間帯の入力を受け付ける。また、スケジュール生成部９０２は、管理者より、分割領域に対する動画像ＩＤの割り当ての入力を受け付ける。更に、スケジュール生成部９０２は、管理者より登録指示を受け付ける。
【０１４８】
ステップＳ１４０８において、スケジュール生成部９０２は、生成された分割領域と動画像ＩＤとの関係が所定の割り当て条件を満たすか否かを判定する。ステップＳ１４０８において、所定の割り当て条件を満たさないと判定した場合には（ステップＳ１４０８においてＮｏの場合には）、ステップＳ１４０６に戻り、分割領域に対するコンテンツの割り当ての変更を促す。
【０１４９】
一方、ステップＳ１４０８において、所定の割り当て条件を満たすと判定した場合には（ステップＳ１４０８においてＹｅｓの場合には）、ステップＳ１４０９に進む。ステップＳ１４０９において、スケジュール生成部９０２は、スケジュール指定画面１２００に入力された内容を、スケジュール情報としてスケジュール情報管理部３７７に格納する。
【０１５０】
ステップＳ１４１０において、スケジュール生成部９０２は、生成された分割領域と動画像ＩＤとの組み合わせに基づいて、各分割領域に対する動画像ＩＤの割り当てを決定する。また、スケジュール生成部９０２は、決定した割り当てを、画像情報管理部３７６の投影用動画像情報６２０に格納する（分割領域の名称に対応付けて動画像ＩＤを格納する）。更に、スケジュール生成部９０２は、分割領域の名称と動画像ＩＤとの組み合わせを「割り当て情報」として、画像処理部３７３に通知する。
【０１５１】
＜８．画像処理の詳細＞
次に、画像投影システム３００における画像処理（ステップＳ８０３）の詳細について説明する。
【０１５２】
（１）画像処理部の機能構成
はじめに、画像処理を実行する、情報処理装置３７０の画像処理部３７３の機能構成について説明する。図１５は、情報処理装置の画像処理部の機能構成を示す図である。
【０１５３】
図１５に示すように画像処理部３７３は、割り当て情報取得部１５１１、画像情報取得部１５１２、反転部１５１３、デコード部１５１４を有する。また、画像処理部３７３は、第１の画像分割部１５１５、補正部１５１６、第２の画像分割部１５１７、エンコード部１５１８、送信部１５１９を有する。
【０１５４】
割り当て情報取得部１５１１は、サイネージ対象情報管理部３７５より、サイネージ対象情報５００を読み出し、第１の画像分割部１５１５に通知する。また、割り当て情報取得部１５１１は、スケジュール生成部９０２より通知された、割り当て情報（分割領域の名称と動画像ＩＤとの組み合わせ）を取得し、画像情報取得部１５１２及び第１の画像分割部１５１５に通知する。
【０１５５】
画像情報取得部１５１２は、割り当て情報に含まれる動画像ＩＤに対応する動画像を画像情報管理部３７６より読み出し、反転部１５１３に通知する。
【０１５６】
反転部１５１３は、画像情報取得部１５１２より通知された動画像の左右を反転させる。画像投影システム３００では、透明または半透明の窓ガラスに対して内側から投影し、投影結果は、窓ガラスの外側から視聴されるため、予め左右を反転しておく必要があるからである。このように、反転部１５１３が反転処理を行うことで、広告主が意図した動画像とは左右が反対の動画像を視聴者が視聴する、といった事態を回避することができる。反転部１５１３は、反転後の動画像をデコード部１５１４に通知する。
【０１５７】
デコード部１５１４は、左右が反転された動画像をデコード処理し、フレーム単位に分解することで、静止画像群を抽出する。デコード部１５１４は、静止画像群に含まれる各静止画像を、順次、第１の画像分割部１５１５に通知する。
【０１５８】
第１の画像分割部１５１５は、デコード部１５１４から順次通知された各静止画像について、割り当て情報取得部１５１１から通知されたサイネージ対象情報５００及び割り当て情報に基づいて、複数の静止画像に分割する第１の画像分割処理を行う。これにより、第１の画像分割部１５１５は、分割領域に含まれる窓ガラスの位置及びサイズに応じた分割静止画像（分割画像）を生成することができる。
【０１５９】
また、第１の画像分割部１５１５は、静止画像群に含まれる全ての静止画像について第１画像分割処理を行うことで取得した分割静止画像について、同じ窓ガラスの分割静止画像ごとにわけることで、複数の分割静止画像群を生成する。第１の画像分割部１５１５は、生成した複数の分割静止画像群を、画像情報管理部３７６に格納する。
【０１６０】
また、第１の画像分割部１５１５は、生成した複数の分割静止画像群それぞれに、分割静止画像群ＩＤを付し、窓ＩＤと対応付けて投影用動画像情報６２０に格納する。
【０１６１】
さらに、第１の画像分割部１５１５は、生成した複数の分割静止画像群それぞれを、窓ＩＤと対応付けて補正部１５１６に通知する。
【０１６２】
補正部１５１６は、第１の画像分割部１５１５より通知された複数の分割静止画像群それぞれを、窓ＩＤに応じた補正パラメータを用いて補正する。また、補正部１５１６は、補正後の複数の分割静止画像群を第２の画像分割部１５１７に通知する。
【０１６３】
第２の画像分割部１５１７は、補正部１５１６より通知された、補正後の複数の分割静止画像群それぞれを、プロジェクタ単位に分割する。補正部１５１６により生成された、補正後の複数の分割静止画像群は、それぞれ窓ガラス単位で生成されているため、第２の画像分割部１５１７では、プロジェクタ単位に分割する。
【０１６４】
エンコード部１５１８は、プロジェクタ単位に分割された補正後の複数の分割静止画像群を、プロジェクタ単位でエンコード処理し、複数の投影用動画像を生成する。エンコード部１５１８は、生成した複数の投影用動画像を識別するための投影用動画像ＩＤを、プロジェクタＩＤと対応付けて投影用動画像情報６２０に格納する。
【０１６５】
送信部１５１９は、エンコード部１５１８により生成された複数の投影用動画像を、対応するプロジェクタにそれぞれ送信する。なお、送信部１５１９が投影用動画像を、事前に、対応するプロジェクタに送信しておくことで、サイネージ制御部３７４では、投影開始の際に、投影開始指示を送信すれば足りることになる。この結果、投影開始の際に投影用動画像を送信するように構成した場合と比較して、投影用動画像の投影に遅延が生じる可能性を低減させることができる。
【０１６６】
（２）画像処理の具体例
次に、画像処理部３７３による画像処理の具体例について説明する。図１６は、画像処理の具体例を示す図である。
【０１６７】
図１６において、動画像１６１０は、割り当て情報に基づいて画像情報管理部３７６より読み出された動画像ＩＤ＝コンテンツ２００の動画像（ＭＰＥＧ４形式）である。画像情報取得部１５１２が、読み出した動画像１６１０を反転部１５１３に通知すると、反転部１５１３は、動画像１６１０の左右を反転させ、反転後の動画像１６１１を生成する。
【０１６８】
反転後の動画像１６１１は、デコード部１５１４においてデコード処理され、複数の静止画像からなる静止画像群として抽出される。また、第１の画像分割部１５１５が、サイネージ対象情報５００を参照することで、分割領域の名称＝分割領域２に含まれる窓ガラスの位置及びサイズを取得する。更に、第１の画像分割部１５１５が、取得した窓ガラスの位置及びサイズに基づいて、抽出された静止画像群に対して第１の画像分割処理を行い、複数の分割静止画像群（分割静止画像群１６２０＿１、１６２０＿２、・・・１６２０＿１５）を生成する。
【０１６９】
なお、複数の分割静止画像群（分割静止画像群１６２０＿１、１６２０＿２、・・・１６２０＿１５）には、それぞれ、分割静止画像群ＩＤ（Ｃ２０１、Ｃ２０２、・・・Ｃ４０５）が付され、窓ＩＤと対応付けて投影用動画像情報６２０に格納される。
【０１７０】
また、複数の分割静止画像群１６２０＿１、１６２０＿２、・・・１６２０＿１５に対しては、補正部１５１６が、それぞれ、対応する補正パラメータを用いて補正を行う。例えば、補正部１５１６は、分割静止画像群１６２０＿１を、補正パラメータ１６３０＿１（補正パラメータＩＤ＝"Ｐ２０１"）を用いて補正する。また、補正部１５１６は、分割静止画像群１６２０＿２を、補正パラメータ１６３０＿２（補正パラメータＩＤ＝"Ｐ２０２"）を用いて補正する。更に、補正部１５１６は、分割静止画像群１６２０＿１５を、補正パラメータ１６３０＿１５（補正パラメータＩＤ＝"Ｐ４０５"）を用いて補正する。
【０１７１】
補正パラメータにより補正された補正後の分割静止画像群１６２０＿１、１６２０＿２、・・・１６２０＿１５は、それぞれ、第２の画像分割部１５１７により、プロジェクタ単位に分割される。例えば、補正後の分割静止画像群１６２０＿１がプロジェクタ単位に分割されることで、プロジェクタ３１０＿１ａ用の分割静止画像群１６４０＿１ａと、プロジェクタ３１０＿１ｂ用の分割静止画像群１６４０＿１ｂとが生成される。
【０１７２】
同様に、補正後の分割静止画像群１６２０＿１５がプロジェクタ単位に分割されることで、プロジェクタ３１０＿１５ａ用の分割静止画像群１６４０＿１５ａと、プロジェクタ３１０＿１５ｂ用の分割静止画像群１６４０＿１５ｂとが生成される。
【０１７３】
第２の画像分割部１５１７によりプロジェクタ単位に分割された補正後の分割静止画像群１６４０＿１ａ〜１６４０＿１５ｂに対しては、エンコード部１５１８によりエンコード処理が施される。これにより、エンコード部１５１８は、ＭＰＥＧ４形式の投影用動画像を生成する。
【０１７４】
例えば、エンコード部１５１８は、プロジェクタ３１０＿１ａ用の分割静止画像群１６４０＿１ａをエンコード処理することで、投影用動画像１６５０＿１ａを生成する。また、エンコード部１５１８は、プロジェクタ３１０＿１ｂ用の分割静止画像群１６４０＿１ｂをエンコード処理することで、投影用動画像１６５０＿１ｂを生成する。更に、エンコード部１５１８は、プロジェクタ３１０＿１５ａ用の分割静止画像群１６４０＿１５ａ、プロジェクタ３１０＿１５ｂ用の分割静止画像群１６４０＿１５ｂをエンコード処理することで、投影用動画像１６５０＿１５ａ、１６５０＿１５ｂを生成する。
【０１７５】
エンコード部１５１８は、生成した複数の投影用動画像１６５０＿１ａ〜１６５０＿１５ｂを識別するための投影用動画像ＩＤ（Ｍ２０１Ａ、Ｍ２０１Ｂ、・・・Ｍ４０５Ａ、Ｍ４０５Ｂ）を、プロジェクタＩＤと対応付けて投影用動画像情報６２０に格納する。
【０１７６】
また、送信部１５１９は、生成された複数の投影用動画像１６５０＿１ａ〜１６５０＿１５ｂを、対応するプロジェクタに送信する。例えば、送信部１５１９は、投影用動画像１６５０＿１ａを、プロジェクタ３１０＿１ａに送信する。また、投影用動画像１６５０＿１ｂを、プロジェクタ３１０＿１ｂに送信する。更に、送信部１５１９は、投影用動画像１６５０＿１５ａを、プロジェクタ３１０＿１５ａに、投影用動画像１６５０＿１５ｂを、プロジェクタ３１０＿１５ｂにそれぞれ送信する。
【０１７７】
（３）画像処理の流れ
次に、画像処理部３７３による画像処理の流れについて、図１７のフローチャートに基づいて説明する。図１７は、画像処理の流れを示すフローチャートである。
【０１７８】
ステップＳ１７０１において、割り当て情報取得部１５１１は、サイネージ対象情報管理部３７５より、サイネージ対象情報５００を取得する。また、割り当て情報取得部１５１１は、スケジュール生成部９０２より、割り当て情報を取得する。
【０１７９】
ステップＳ１７０１において、画像情報取得部１５１２は、割り当て情報取得部１５１１が取得した割り当て情報に含まれる動画像ＩＤに対応する動画像を、画像情報管理部３７６より取得する。
【０１８０】
ステップＳ１７０３において、反転部１５１３は、ステップＳ１７０１において画像情報取得部１５１２が取得した動画像に対して、左右反転処理を行う。
【０１８１】
ステップＳ１７０４において、デコード部１５１４は、反転後の動画像をデコード処理することで、静止画像群を抽出する。
【０１８２】
ステップＳ１７０５において、第１の画像分割部１５１５は、静止画像カウンタｎに１を代入する。
【０１８３】
ステップＳ１７０６において、第１の画像分割部１５１５は、ｎ番目の静止画像に対して、第１画像分割処理を行う。なお、第１画像分割処理のフローチャートの詳細は、後述する。
【０１８４】
ステップＳ１７０７において、第１の画像分割部１５１５は、全ての静止画像について第１画像分割処理を行ったか否かを判定する。ステップＳ１７０７において、第１画像分割処理を行っていない静止画像があると判定した場合には（ステップＳ１７０７においてＮｏの場合には）、ステップＳ１７０８に進む。ステップＳ１７０８において、第１の画像分割部１５１５は、静止画像カウンタｎをインクリメントした後、ステップＳ１７０６に戻る。
【０１８５】
一方、ステップＳ１７０７において、全ての静止画像について第１画像分割処理を行ったと判定した場合には、ステップＳ１７０９に進む。
【０１８６】
ステップＳ１７０９において、第１の画像分割部１５１５は、各静止画像について生成した複数の分割静止画像を、同じ窓ガラスに対応する分割静止画像ごとに分けることで、窓ガラス数分の分割静止画像群を生成し、画像情報管理部３７６に格納する。また、第１の画像分割部１５１５は、生成した分割静止画像群ごとに分割静止画像群ＩＤを付し、窓ＩＤと対応付けて投影用動画像情報６２０に格納する。
【０１８７】
ステップＳ１７１０において、補正部１５１６は、分割静止画像群カウンタｍに１を代入する。
【０１８８】
ステップＳ１７１１において、補正部１５１６は、ステップＳ１７０９において生成された分割静止画像群のうち、ｍ番目の分割静止画像群を、対応する補正パラメータを用いて補正する。
【０１８９】
ステップＳ１７１２において、第２の画像分割部１５１７は、補正後のｍ番目の分割静止画像群について、第２画像分割処理を行う。
【０１９０】
ステップＳ１７１３において、第２の画像分割部１５１７は、ステップＳ１７０９において生成された全ての分割静止画像群について、補正処理及び第２画像分割処理を行ったか否かを判定する。
【０１９１】
ステップＳ１７１３において、補正処理及び第２画像分割処理を行っていない分割静止画像群があると判定した場合には（ステップＳ１７１３においてＮｏの場合には）、ステップＳ１７１４に進む。
【０１９２】
ステップＳ１７１４において、補正部１５１６は、分割静止画像群カウンタｍをインクリメントし、ステップＳ１７１１に戻る。
【０１９３】
一方、ステップＳ１７１３において、全ての分割静止画像群について、補正処理及び第２画像分割処理を行ったと判定した場合には（ステップＳ１７１３においてＹｅｓの場合には）、ステップＳ１７１５に進む。
【０１９４】
ステップＳ１７１５において、エンコード部１５１８は、第２画像分割処理された分割静止画像群を、プロジェクタ単位でエンコード処理することで、複数の投影用動画像を生成する。
【０１９５】
ステップＳ１７１６において、送信部１５１９は、生成された複数の投影用動画像を、対応するプロジェクタにそれぞれ送信する。
【０１９６】
（４）第１画像分割処理の詳細
次に、第１画像分割処理（ステップＳ１７０６）の詳細について図１８及び図１９を用いて説明する。図１８は、第１画像分割処理の流れを示すフローチャートである。また、図１９は、第１画像分割処理の一例を示す図である。なお、第１の画像分割部１５１５は、割り当て情報として、分割領域の名称＝分割領域２、動画像ＩＤ＝コンテンツ２００を取得しているものとする。
【０１９７】
ステップＳ１８０１において、第１の画像分割部１５１５は、ｎ番目の静止画像を読み出す。図１９（ｂ）において、静止画像１９００は、第１の画像分割部１５１５により読み出されたｎ番目の静止画像であるとする。
【０１９８】
ステップＳ１８０２において、第１の画像分割部１５１５は、フロアカウンタｆに初期値を代入する（ここでは、図１９（ａ）に示す分割領域２について処理を行うため、初期値＝２となる）。
【０１９９】
ステップＳ１８０３において、第１の画像分割部１５１５は、分割領域２内の１フロアあたりの窓ガラス数をカウントする窓カウンタｇに"１"を代入する。
【０２００】
ステップＳ１８０４において、第１の画像分割部１５１５は、サイネージ対象情報５００より、分割領域２内の窓ＩＤ＝"Ｗｆ０ｇ"の"位置"、"横サイズ"、"縦サイズ"を読み出す。ここでは、ｆに"２"が代入され、ｇに"１"が代入されているため、窓ＩＤ＝"Ｗ２０１"の位置（（０，０））、横サイズ（ｘ１２）、縦サイズ（ｙ１２）が読み出される（図１９（ａ））。
【０２０１】
ステップＳ１８０５において、第１の画像分割部１５１５は、ステップＳ１８０４において読み出した位置、横サイズ、縦サイズを、静止画像１９００と分割領域２との対比に応じて、画素数に変換する。
【０２０２】
図１９に示すように、本実施形態において、動画像ＩＤ＝コンテンツ２００の動画像に含まれる静止画像１９００は、横４０００画素、縦３０００画素で構成されているものとする。この場合、座標＝"（０，０）"に対応する静止画像１９００上の画素は、位置＝"（０，０）"の画素となる。
【０２０３】
また、横サイズ（ｘ１２）に対応する静止画像１９００上の画素は、（ｘ１２／ｘ５２）×４０００により算出される画素となる。更に、縦サイズ（ｙ１２）に対応する静止画像１９００上の画素は、（ｙ１２／ｙ３２）×３０００により算出される画素となる。
【０２０４】
ステップＳ１８０６において、第１の画像分割部１５１５は、ステップＳ１８０５において算出された画素に基づいて特定される矩形領域１９０１を、静止画像１９００より切り出し、分割静止画像を生成する。
【０２０５】
ステップＳ１８０７において、第１の画像分割部１５１５は、分割領域２内のｆフロアの全ての窓ガラスについて、第１画像分割処理を行ったか否かを判定する。ステップＳ１８０７において、第１画像分割処理を行っていない窓ガラスがあると判定した場合には（ステップＳ１８０７においてＮｏの場合には）、ステップＳ１８０８に進む。
【０２０６】
ステップＳ１８０８において、第１の画像分割部１５１５は、窓カウンタｇをインクリメントした後、ステップＳ１８０４に戻る。これにより、ｇには"２"が代入されることになる。
【０２０７】
ステップＳ１８０４において、第１の画像分割部１５１５は、サイネージ対象情報５００より、分割領域２内の窓ＩＤ＝"Ｗ２０２"の位置（（ｘ２１，０））、横サイズ（ｘ２２−ｘ２１）、縦サイズ（ｙ１２）を読み出す（図１９（ａ））。
【０２０８】
ステップＳ１８０５において、第１の画像分割部１５１５は、ステップＳ１８０４において読み出した位置、横サイズ、縦サイズを画素数に変換する。
【０２０９】
図１９に示すように、位置（（ｘ２１，０））に対応する静止画像１９００上の画素は、（ｘ２１／ｘ５２）×４０００により算出される画素となる。また、横サイズ（ｘ２２−ｘ２１）に対応する静止画像１９００上の画素は、（ｘ２２／ｘ５２）×４０００により算出される画素となる。更に、縦サイズ（ｙ１２）に対応する静止画像１９００上の画素は、（ｙ１２／ｙ３２）×３０００により算出される画素となる。
【０２１０】
ステップＳ１８０６において、第１の画像分割部１５１５は、ステップＳ１８０５において算出された画素に基づいて特定される矩形領域１９０２を、静止画像１９００より切り出し、分割静止画像を生成する。
【０２１１】
ステップＳ１８０７において、第１の画像分割部１５１５は、分割領域２内のｆフロアの全ての窓ガラスについて、第１画像分割処理を行ったか否かを判定する。ステップＳ１８０７において、第１画像分割処理を行っていない窓ガラスがあると判定した場合には（ステップＳ１８０７においてＮｏの場合には）、ステップＳ１８０８に進む。以降、ステップＳ１８０６において、矩形領域１９０５が切り出されるまで、ステップＳ１８０４〜Ｓ１８０６の処理が繰り返される。
【０２１２】
ステップＳ１８０７において、分割領域２内のｆフロアの全ての窓ガラスについて第１画像分割処理を行ったと判定した場合には（ステップＳ１８０７においてＹｅｓの場合には）、ステップＳ１８０９に進む。
【０２１３】
ステップＳ１８０９において、第１の画像分割部１５１５は、全てのフロアについて第１画像分割処理を行ったか否かを判定する。ステップＳ１８０９において、第１画像分割処理を行っていないフロアがあると判定した場合には（ステップＳ１８０９においてＮｏの場合には）、ステップＳ１８１０に進む。
【０２１４】
ステップＳ１８１０において、第１の画像分割部１５１５は、フロアカウンタｆをインクリメントした後、ステップＳ１８０３に戻る。以降、フロアカウンタｆ＝４において、矩形領域１９１５が切り出されるまで、ステップＳ１８０４〜Ｓ１８０８の処理が繰り返される。
【０２１５】
ステップＳ１８０９において、分割領域２内の全てのフロアについて第１画像分割処理を行ったと判定した場合には（ステップＳ１８０９においてＹｅｓの場合には）、図１７のステップＳ１７０７に戻る。
【０２１６】
＜９．まとめ＞
以上の説明から明らかなように、本実施形態に係る画像投影システム３００では、
・複数の窓ガラスが含まれる建物の外面の所定領域を分割し、複数の分割領域を生成し、それぞれの分割領域に、広告主より提供される動画像を割り当てる割り当て処理を行う。
・広告主より提供される動画像を、対応する分割領域に含まれる複数の窓ガラスの位置及び大きさに基づいて分割することで、投影用動画像群を生成する画像処理を行う。
・生成した投影用動画像群の各投影用動画像を、対応するプロジェクタを介して、複数の窓ガラスに対応する電動スクリーンそれぞれに投影する。
【０２１７】
これにより、建物の所定領域内の各分割領域において、該各分割領域に含まれる複数の光透過面を組み合わせたデジタルサイネージを実現することが可能になる。この結果、広告効果の高いデジタルサイネージを複数並行して実現することが可能になる。
【０２１８】
［第２の実施形態］
上記第１の実施形態では、分割領域指定画面１０００において、管理者は、分割条件を満たす範囲で、矩形枠を任意に指定できるものとして説明した。これに対して、第２の実施形態では、分割領域指定画面１０００において矩形枠を指定するにあたり、動画像のアスペクト比が予め動画像情報６１０に登録されている場合にあっては、当該矩形枠が当該アスペクト比に応じて拡縮するように構成する。これにより、アスペクト比が適切でない分割領域が生成されることを回避することができる。以下、第２の実施形態について、上記第１の実施形態との相違点を中心に説明する。
【０２１９】
図２０は、割り当て処理の際に領域分割部が表示する分割領域指定画面の他の一例を示す図である。
【０２２０】
図２０に示すように、分割領域指定画面１０００には、レイアウト画像１０１０に加え、アスペクト比矩形枠２０１０が、選択可能に表示される。管理者は、アスペクト比矩形枠２０１０において、いずれかのアスペクト比の矩形枠（例えば、矩形枠２０３０）を選択して、レイアウト画像１０１０を分割する。
【０２２１】
矩形枠２０３０は、例えば、管理者が右下の頂点２０２０をドラッグして移動させることで、アスペクト比が維持されたまま、拡大、縮小するように構成されている。
【０２２２】
このように、本実施形態では、動画像情報６１０に格納されている動画像のアスペクト比に応じた矩形枠を用いて、分割領域を生成する構成とする。これにより、スケジュール指定画面１２００において、表示された分割領域のアスペクト比に合致する動画像がないといった事態を回避することできる。
【０２２３】
［第３の実施形態］
上記第１の実施形態では、１のスケジュール指定画面１２００において入力された入力内容に基づいて、１のスケジュール情報７００を生成する構成とした。しかしながら、複数のスケジュール指定画面１２００それぞれにおいて入力された曜日入力欄１２１２の入力内容が同じ場合にあっては、複数のスケジュール指定画面１２００において入力された入力内容に基づいて、１のスケジュール情報を生成してもよい。
【０２２４】
また、上記第１の実施形態では、分割領域指定画面１０００を介して生成した、所定領域内の分割領域（例えば、分割領域１、分割領域２）を対象として、スケジュール指定画面１２００において、動画像ＩＤの割り当てを行う構成とした。しかしながら、スケジュール指定画面において動画像ＩＤの割り当てを行う対象は分割領域に限定されない。例えば、所定領域全体を対象として動画像ＩＤの割り当てを行ってもよい。
【０２２５】
図２１は、スケジュール指定画面における他の入力例を説明するための図である。図２１（ａ）は、２つのスケジュール指定画面１２００それぞれにおいて入力された入力内容に基づいて、１のスケジュール情報２１００を生成した様子を示している。具体的には、図２１（ａ）は、一方のスケジュール指定画面１２００において、所定領域全体に対して動画像ＩＤ＝コンテンツ５００を割り当てた様子を示している。また、他方のスケジュール指定画面１２００において、分割領域１、２に対して動画像ＩＤ＝コンテンツ１００、２００を割り当てた様子を示している。
【０２２６】
図２１（ｂ）は、図２１（ａ）に示すスケジュール情報２１００に従って、サイネージ制御処理を実行した場合の、投影態様を模式的に示したものである。図２１（ｂ）に示すように、スケジュール情報２１００によれば、
・１８時００分〜１９時００分の投影時間帯では、所定領域５１０全体において、動画像ＩＤ＝コンテンツ５００の動画像に基づいて生成された投影用動画像群が投影され、
・２０時００分〜２１時００分の投影時間帯では、分割領域１、２において、それぞれ動画像ＩＤ＝コンテンツ１００、２００の動画像に基づいて生成された投影用動画像群が投影されることになる。
【０２２７】
つまり、スケジュール情報２１００によれば、所定領域を用いたデジタルサイネージと、分割領域を用いたデジタルサイネージとを異なる投影時間帯において混在させることができる。
【０２２８】
図２２は、スケジュール指定画面における他の入力例を説明するための図である。図２２（ａ）は、２つのスケジュール指定画面１２００それぞれにおいて入力された入力内容に基づいて、１のスケジュール情報２２００を生成した様子を示している。具体的には、図２２（ａ）は、一方のスケジュール指定画面１２００において、分割領域１、２に対して、動画像ＩＤ＝コンテンツ１００、２００を割り当てた様子を示している。また、他方のスケジュール指定画面１２００において、分割領域１、９、１０に対して動画像ＩＤ＝コンテンツ１００、６００、７００を割り当てた様子を示している。
【０２２９】
図２２（ｂ）は、図２２（ａ）に示すスケジュール情報２２００に従って、サイネージ制御処理を実行した場合の、投影態様を模式的に示したものである。図２２（ｂ）に示すように、スケジュール情報２２００によれば、
・１８時００分〜１９時００分の投影時間帯では、分割領域１、２においてそれぞれ動画像ＩＤ＝コンテンツ１００、２００の動画像に基づいて生成された投影用動画像群が投影され、
・１９時００分〜２０時００分の投影時間帯では、分割領域１、９、１０においてそれぞれ動画像ＩＤ＝コンテンツ１００、６００、７００の動画像に基づいて生成された投影用動画像群が投影されることになる。
【０２３０】
つまり、スケジュール情報２２００によれば、異なる分割領域を用いたデジタルサイネージを異なる投影時間帯において混在させることができる。
【０２３１】
［第４の実施形態］
上記第１の実施形態では、スケジュール指定画面１２００の領域割り当て欄１２２０において、同じ投影時間帯には、同じ再生時間を有する動画像の動画像ＩＤが割り当てられるものとして説明した。しかしながら、同じ投影時間帯に、異なる再生時間を有する動画像の動画像ＩＤが割り当てられるように構成してもよい。
【０２３２】
図２３は、スケジュール指定画面における他の入力例を説明するための図である。図２３（ａ）は、スケジュール指定画面１２００の領域割り当て欄１２２０において、同じ投影時間帯に、異なる再生時間を有する動画像の動画像ＩＤ（コンテンツ１００、２００'）を割り当てた様子を示している。
【０２３３】
図２３（ｂ）は、図２３（ａ）に示すスケジュール情報２３００に従って、サイネージ制御処理を実行した場合の、投影態様を模式的に示したものである。図２３（ｂ）に示すように、スケジュール情報２３００によれば、例えば、１８時２０分の時点で、分割領域１では、動画像ＩＤ＝コンテンツ１００の動画像に基づいて生成された投影用動画像群の投影が継続している。一方、１８時２０分の時点で、分割領域２では、動画像＝コンテンツ２００'の動画像に基づいて生成された投影用動画像群の投影が終了していることになる。
【０２３４】
このように、再生時間についての制約を割り当て条件に含めないことで、割り当ての自由度が増すといった利点がある。
【０２３５】
［第５の実施形態］
上記第１の実施形態では、分割領域指定画面１０００において矩形枠により指定された指定内容に基づいて分割領域を生成するにあたり、分割領域の境界が、窓枠に位置するように、矩形枠が指定されるものとして説明した。しかしながら、分割領域の境界が、窓ガラス内に位置するように、矩形枠を指定できるように構成してもよい。
【０２３６】
図２４は、他の領域分割方法を示す図である。図２４（ａ）は、所定領域５１０を分割するにあたり、４Ｆの窓ガラス内に、分割領域の境界が位置するように分割し、分割領域２０、分割領域２１を生成した様子を示している。
【０２３７】
図２４（ｂ）は、所定領域５１０を分割するにあたり、４Ｆの窓ガラス内に、分割領域の境界が位置するように分割して得た分割領域２０、分割領域２１のうち、分割領域２１を、更に分割することで、３つの分割領域２０、２２、２３を生成した様子を示している。
【０２３８】
このように、所定領域５１０を分割し、分割領域を生成するにあたっては、分割領域の境界が、窓枠に位置するように分割領域を生成するだけでなく、窓ガラス内に位置するように分割領域を生成してもよい。
【０２３９】
［その他の実施形態］
上記第１の実施形態では、１のスケジュール指定画面１２００において、投影時間帯を１つのみ入力できるものとして説明したが、１のスケジュール指定画面１２００において、複数の投影時間帯を入力できるように構成してもよい。
【０２４０】
上記第１の実施形態では、スケジュール指定画面１２００の領域割り当て欄１２２０に、領域分割部９０１により登録された分割領域の名称が表示されるものとして説明した。しかしながら、領域割り当て欄１２２０には、１の分割領域指定画面１０００を介して生成された分割領域群ごとにグループ分けされた形で分割領域の名称が表示されるように構成してもよい。例えば、分割領域１と分割領域２とは同じグループにグループ分けした形で表示するように構成してもよい。また、分割領域３と分割領域４とは同じグループにグループ分けした形で表示するように構成してもよい。また、分割領域５〜８は同じグループにグループ分けした形で表示するように構成してもよい。また、分割領域１、９、１１は同じグループにグループ分けした形で表示するように構成してもよい。また、分割領域２０、２１は、同じグループにグループ分けした形で表示するように構成してもよい。更に、分割領域２０、２２、２３は、同じグループにグループ分けした形で表示するように構成してもよい。
【０２４１】
上記第１の実施形態では、１つの窓ガラスに２台のプロジェクタを配置する場合について説明したが、１つの窓ガラスに配置するプロジェクタの数は、２台に限定されない。例えば、１つの窓ガラスに配置するプロジェクタの数は、１台であってもよい。この場合、第２画像分割処理は実行されない。また、１つの窓ガラスに配置するプロジェクタの数は、３台以上であってもよい。この場合、第２画像分割処理では、第１画像分割処理により生成された分割静止画像群を、１つの窓ガラスに配置するプロジェクタの数に応じた数（所定数）に分割することになる。
【０２４２】
なお、１つの窓ガラスに配置するプロジェクタの数は、窓ガラスごとに異なっていてもよい。この場合、第２画像分割処理では、窓ガラスごとに、分割数を変更することになる。
【０２４３】
また、上記第１の実施形態では、各窓ガラスの形状が矩形かつ平面である場合について説明したが、各窓ガラスの形状は矩形でなくてもよい。また、各窓ガラスの表面の形状は曲面であってもよい。この場合、校正部３７１では、各窓ガラスの曲面形状に基づいて、補正パラメータを算出し、画像処理部３７３では、算出した補正パラメータを用いて、分割静止画像群を補正する。
【０２４４】
また、上記第１の実施形態では、分割領域のサイズ等が同じであっても、分割領域の位置が異なれば、同じ動画像から、異なる投影用動画像群を生成するものとして説明した。これは、分割領域の位置が異なれば、対応するプロジェクタが異なり、補正パラメータが異なるためである。
【０２４５】
しかしながら、プロジェクタ間の個体差が小さく、補正パラメータが概ね一致する場合には、分割領域のサイズが同じで、含まれる窓ガラスのサイズ、位置等が同じであれば、同じ投影用動画像群を流用するように構成してもよい。
【０２４６】
また、上記第１の実施形態では、所定領域に含まれる各窓ガラスのサイズが同じである場合について説明したが、各窓ガラスのサイズは同じでなくてもよい。各窓ガラスのサイズが異なっていた場合には、それぞれの窓ガラスのサイズに応じて、プロジェクタの投影範囲が調整され、それぞれの窓ガラスのサイズに応じて、第１画像分割処理が行われる。
【０２４７】
また、上記第１の実施形態では、広告主より提供される動画像に基づいて投影用動画像を生成する場合について説明したが、広告主より提供される静止画像に基づいて投影用静止画像を生成してもよい。
【０２４８】
また、上記第１の実施形態では、情報処理装置３７０が、校正部３７１、割り当て部３７２、画像処理部３７３、サイネージ制御部３７４を有するものとして説明したが、これらの機能の一部は、他のサイネージ装置において実現してもよい。
【０２４９】
また、上記第１の実施形態では、分割領域ごとにプロジェクタを動作させる場合について説明したが、分割領域ごとに電動スクリーンや電飾装置を動作させるように構成してもよい。
【０２５０】
また、上記第１の実施形態では、建物１１０の外面の所定領域に取り付けられた窓ガラスを投影対象として説明したが、投影対象は、窓ガラスに限定されず、他の光透過面であってもよい。また、光透過面は、建物１１０の外面の所定領域に取り付けられたものに限定されず、建物１１０内部の所定領域に取り付けられた光透過面であってもよいし、また、建物以外の物に取り付けられた光透過面であってもよい。
【０２５１】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２５２】
１１０                            ：建物
１２０                            ：窓ガラス群
１３０、１３１                    ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：校正部
３７２                            ：割り当て部
３７３                            ：画像処理部
３７４                            ：サイネージ制御部
３７５                            ：サイネージ対象情報管理部
３７６                            ：画像情報管理部
３７７                            ：スケジュール情報管理部
３８１                            ：撮像装置
３８２                            ：色彩輝度計
５００                            ：サイネージ対象情報
５１０                            ：所定領域
５２０                            ：原点
５３０                            ：ｘ軸
５４０                            ：ｙ軸
６１０                            ：動画像情報
６２０                            ：投影用動画像情報
７００                            ：スケジュール情報
９０１                            ：領域分割部
９０２                            ：スケジュール生成部
１０００                          ：分割領域指定画面
１２００                          ：スケジュール指定画面
１２２０                          ：領域割り当て欄
１２２１、１２２２                ：コンテンツ割り当て欄
１５１１                          ：割り当て情報取得部
１５１２                          ：画像情報取得部
１５１３                          ：反転部
１５１４                          ：デコード部
１５１５                          ：第１の画像分割部
１５１６                          ：補正部
１５１７                          ：第２の画像分割部
１５１８                          ：エンコード部
１５１９                          ：送信部
１６２０＿１〜１６２０＿１５      ：分割静止画像群
１６３０＿１〜１６３０＿１５      ：補正パラメータ
１６４０＿１ａ〜１６４０＿１５ｂ  ：静止画像群
１６５０＿１ａ〜１６５０＿１５ｂ  ：投影用動画像
２００１                          ：同期部
２００２                          ：開始制御部
２００３                          ：終了制御部
【先行技術文献】
【特許文献】
【０２５３】
【特許文献１】特開２０１５−２６９９２号公報
【特許文献２】特開２０１６−８５４３５号公報
【図１】
2018097080.tif 000003
【図２】
2018097080.tif 000004
【図３】
2018097080.tif 000005
【図４】
2018097080.tif 000006
【図５】
2018097080.tif 000007
【図６】
2018097080.tif 000008
【図７】
2018097080.tif 000009
【図８】
2018097080.tif 000010
【図９】
2018097080.tif 000011
【図１０】
2018097080.tif 000012
【図１１】
2018097080.tif 000013
【図１２】
2018097080.tif 000014
【図１３】
2018097080.tif 000015
【図１４】
2018097080.tif 000016
【図１５】
2018097080.tif 000017
【図１６】
2018097080.tif 000018
【図１７】
2018097080.tif 000019
【図１８】
2018097080.tif 000020
【図１９】
2018097080.tif 000021
【図２０】
2018097080.tif 000022
【図２１】
2018097080.tif 000023
【図２２】
2018097080.tif 000024
【図２３】
2018097080.tif 000025
【図２４】
2018097080.tif 000026